(57)【要約】  【課題】手動焦点調節時において良好な画質のスルー画を表示することができると共に目視による焦点状態の判断（合焦判断等）を行い易くすることができる撮像装置を提供する。  【解決手段】電子カメラのＣＰＵ６４は、撮影レンズ１２の手動焦点調節部１００が操作された場合に、そのことを手動焦点調節部１００から出力される手動操作信号によって検出する。そして、手動焦点調節部１００が操作されて手動焦点調節が行われた場合にはカラー表示可能な液晶モニタ３０にモノクロ（白黒）のスルー画を表示させる。これによって、撮影者が液晶モニタ３０に表示されたスルー画の目視による合焦判断等が行い易くなると共に、処理負担が軽減され、スルー画の時間遅れなども軽減される。【選択図】  図３
2006311082.tif 000002
【特許請求の範囲】
【請求項１】
被写体の像を結像する撮影光学系の焦点調節を手動で行うための手動焦点調節手段と、
前記撮影光学系により結像された被写体の像を撮像する撮像手段と、
前記撮像手段により得られた画像をスルー画として表示すると共に、カラー表示可能な表示手段と、
前記手動焦点調節手段による手動の焦点調節時に、前記表示手段におけるスルー画の表示を単色での表示に切り替える表示切替手段と、
を備えたことを特徴とする撮像装置。
【請求項２】
前記手動焦点調節手段は、焦点調節のために手動操作される操作部を備え、前記表示切替手段は、該操作部の操作が行われていることを検出すると前記スルー画の表示を単色での表示に切り替えることを特徴とする請求項１の撮像装置。
【請求項３】
前記撮影光学系の焦点調節を自動で行うための自動焦点調節手段を備えると共に、前記手動焦点調節により焦点調節を行う手動焦点調節モードと、前記自動焦点調節手段により焦点調節を行う自動焦点調節モードとのモード切替手段を備え、前記表示切替手段は、前記モード切替手段により前記手動焦点調節モードに設定されると、前記スルー画の表示を単色での表示に切り替えることを特徴とする請求項１の撮像装置。
【請求項４】
前記表示切替手段は、前記撮像手段により取得した画像の輝度情報を単色の画像として前記表示手段により表示することを特徴とする請求項１、２、又は、３の撮像装置。
【請求項５】
前記表示切替手段は、前記表示手段に表示するスルー画を白黒での表示に切り替えることを特徴とする請求項１、２、３、又は、４の撮像装置。
【請求項６】
前記表示切替手段は、前記表示手段に表示するスルー画を、前記表示手段がカラー表示のために発光する色のうちのいずれか１つの色のみの表示に切り替えることを特徴とする請求項１、２、３、又は、４の撮像装置。
【発明の詳細な説明】
【技術分野】
【０００１】
本発明は撮像装置に係り、特に撮像素子から得られる画像信号に基づいて手動焦点調節中に被写体の画像（スルー画）を液晶モニタ等に表示する撮像装置に関する。
【背景技術】
【０００２】
従来、自動焦点調節（オートフォーカス）と手動焦点調節（マニュアルフォーカス）とを切り替えることができる電子カメラが知られている。一般に電子カメラにはカラー表示可能な液晶モニタが設けられており、その液晶モニタには、構図等を確認するためのスルー画や、シャッターボタンを押した際に取り込まれた画像等が表示されるようになっている。自動焦点調整時には、例えば、撮像素子により順次撮像される画像のコントラスト情報に基づいて自動で撮影レンズの焦点調節が行われる。一方、手動焦点調節時には、液晶モニタに表示されるスルー画（動画）を見ながら撮影者が所定の手動焦点調節部を手動操作することによって所望の焦点状態となるように手動で焦点調節が行われるようになっている。
【０００３】
また、特許文献１において、撮像素子から得られる画像信号に基づいて自動焦点調節を行っている際に、液晶モニタに良好なカラー動画を表示できない場合に、静止画又はモノクロ（白黒）動画を表示することが提案されている。
【特許文献１】特開２００２−２８１３７５号公報
【発明の開示】
【発明が解決しようとする課題】
【０００４】
ところで、手動焦点調節時においては、撮影者が焦点状態を確認できるようにスルー画を液晶モニタに表示する必要がある。従来ではカラー表示可能な液晶モニタであればスルー画もカラー動画として表示されるようになっている。しかしながら、液晶モニタにカラー動画を表示する場合に、撮像素子の画素数が液晶モニタの画素数よりも大きい場合や、撮像素子の画素数が動画表示用回路の処理能力を超える場合には、撮像素子の画素数を間引いて読み出す必要がある。間引き処理した画像には色情報の混ざりやスミアが目立つ場合があり、良好なカラー動画をスルー画として表示することができない場合があった。
【０００５】
また、近年では液晶モニタが高精細で大型化している。これに対して、液晶モニタに動画を表示する動画表示用回路の処理能力が不足し、スルー画を表示する場合に時間的な遅れや不自然な乱れが発生する場合があった。
【０００６】
更に、液晶モニタの大型化が図られたとしてもその大きさには限度があり、手動焦点調節時において液晶モニタに良好なカラーのスルー画が表示されたとしても撮影者がそのスルー画の目視によって正確に焦点状態を判断することは難しいという問題があった。
【０００７】
特許文献１では、自動焦点調節時に良好なカラー動画を表示できない場合に静止画又はモノクロ動画に切り替えることが提案されているが、手動焦点調節時での表示については考慮されておらず、また、手動焦点調節時では、良好なカラー動画を表示できる場合であって必ずしもカラー動画を表示することが最適とはならない。
【０００８】
本発明はこのような事情に鑑みてなされたもので、手動焦点調節時において良好な画質のスルー画を表示することができると共に目視による焦点状態の判断（合焦判断等）を行い易くすることができる撮像装置を提供することを目的とする。
【課題を解決するための手段】
【０００９】
前記目的を達成するために、請求項１に記載の撮像装置は、被写体の像を結像する撮影光学系の焦点調節を手動で行うための手動焦点調節手段と、前記撮影光学系により結像された被写体の像を撮像する撮像手段と、前記撮像手段により得られた画像をスルー画として表示すると共に、カラー表示可能な表示手段と、前記手動焦点調節手段による手動の焦点調節時に、前記表示手段におけるスルー画の表示を単色での表示に切り替える表示切替手段と、を備えたことを特徴としている。
【００１０】
本発明によれば、手動焦点調節時には、スルー画がモノクロ（白黒）動画のように単色で表示される。これによって、撮像素子により撮像された画像に対してスルー画が間引き処理されて表示される場合であっても、色情報の混ざりやスミア等の発生が防止され、良好な画質のスルー画が表示される。また、スルー画として動画を表示するための回路において色情報を処理する負担がなくなるため、表示されるスルー画に時間遅れや乱れが発生し難くなる。更に、目視による合焦判断は色情報があるよりも単色の方が行い易いということを実験的に確認している。即ち、合焦判断に用いる画像情報を液晶モニタに表示した場合、液晶モニタの透過濃度（輝度）の強弱と空間周波数の関係における目視確認できる限度は各色毎に異なり、大きさが数インチ程度の液晶モニタでは白黒の場合が最も目視確認しやすいことがわかっている。従って、スルー画が小さい場合であっても、単色で表示されたスルー画の目視によって撮影者が焦点状態を把握することが容易となり、合焦判断等を的確に行うことができるようになる。
【００１１】
請求項２に記載の撮像装置は、請求項１に記載の発明において、前記手動焦点調節手段は、焦点調節のために手動操作される操作部を備え、前記表示切替手段は、該操作部の操作が行われていることを検出すると前記スルー画の表示を単色での表示に切り替えることを特徴としている。
【００１２】
本発明は、手動で焦点調節が行われた際にスルー画の表示が自動で単色での表示に切り替わるようにした態様であり、手動焦点調節の操作部の操作が行われていることを検出することにより、手動焦点調節が行われていることを検出する。
【００１３】
請求項３に記載の撮像装置は、請求項１に記載の発明において、前記撮影光学系の焦点調節を自動で行うための自動焦点調節手段を備えると共に、前記手動焦点調節により焦点調節を行う手動焦点調節モードと、前記自動焦点調節手段により焦点調節を行う自動焦点調節モードとのモード切替手段を備え、前記表示切替手段は、前記モード切替手段により前記手動焦点調節モードに設定されると、前記スルー画の表示を単色での表示に切り替えることを特徴としている。
【００１４】
本発明は、手動で焦点調節を行う場合にモード切替えによって手動焦点調節モードにする必要がある態様において、モードが手動焦点調節モードに切り替えられた際に自動でスルー画の表示を単色での表示に切り替えるようにしている。
【００１５】
請求項４に記載の撮像装置は、請求項１、２、又は、３の発明において、前記表示切替手段は、前記撮像手段により取得した画像の輝度情報を単色の画像として前記表示手段により表示することを特徴としている。手動焦点調節時に単色のスルー画を表示する場合、本発明のように撮像手段により取得した画像の輝度情報のみによってその画像を表示することができる。
【００１６】
請求項５に記載の撮像装置は、請求項１、２、３、又は、４に記載の発明において、前記表示切替手段は、前記表示手段に表示するスルー画を白黒での表示に切り替えることを特徴としている。本発明は、単色のスルー画として白黒のスルー画を表示する態様である。単色のスルー画を表示する際の色としては、白黒が最も合焦判断等を行い易い。
【００１７】
請求項６に記載の撮像装置は、請求項１、２、３、又は、４に記載の発明において、前記表示切替手段は、前記表示手段に表示するスルー画を、前記表示手段がカラー表示のために発光する色のうちのいずれか１つの色のみの表示に切り替えることを特徴としている。
【００１８】
本発明のようにスルー画を単色で表示する場合に、例えば液晶モニタのカラーフィルタの構成色であるＲ（赤）、Ｇ（緑）、Ｂ（青）のうちのいずれかの色で表示することも可能である。これによれば、表示手段における発光色のボケによる合焦判断の誤差が軽減できる。
【発明の効果】
【００１９】
本発明によれば、手動焦点調節時において良好な画質のスルー画を表示することができると共に目視による焦点状態の判断（合焦判断等）を行い易くすることができる。
【発明を実施するための最良の形態】
【００２０】
以下、添付図面に従って本発明に係る撮像装置を実施するための最良の形態について詳細に説明する。
【００２１】
図１は本発明が適用された電子カメラの外観図である。この電子カメラ１０の前面には、撮影レンズ１２、ファインダー窓１４、ストロボ発光部１６が設けられ、カメラ上面には、シャッターボタン１８及び電源スイッチ２０が配設されている。また、グリップ部２２と反対側のカメラ側面には、メモリカード２４を装着するためのカードスロット２６が設けられている。
【００２２】
撮影レンズ１２にはズームレンズが適用され、同時に手で回転させることで手動焦点調節も可能であるレンズであり、撮影レンズ１２の後方に撮像素子として、例えば数百万画素のＣＣＤカラーイメージセンサ（図１中不図示、図３において符号５２として記載）が配置されている。シャッターボタン１８は２段階式に構成され、シャッターボタン１８を軽く押して止める「半押し」の状態で自動焦点調節（ＡＦ）及び自動露出制御（ＡＥ）が作動してＡＦとＡＥをロックし、「半押し」から更に押し込む「全押し」の状態で撮影が実行される。
【００２３】
電源スイッチ２０は、モード切換スイッチと兼用されており、電源ＯＦＦとなる「ＯＦＦ位置」、静止画撮影モードで電源ＯＮとなる「撮影ＯＮ位置」、及び再生モードで電源ＯＮとなる「再生ＯＮ位置」の３ポジションを切り換えることができる。尚、本例のような電源スイッチ（以下、電源兼用モードスイッチという。）２０に代えて、電源ＯＮ／ＯＦＦのみの電源スイッチと、静止画撮影モード及び再生モードを切り換えるモードダイヤル等のモード切換手段を設けてもよい。
【００２４】
図２は電子カメラ１０の背面側外観図である。電子カメラ１０の背面には、ファインダー２８、液晶モニタ３０、ズームスイッチ３２、多機能の十字ボタン３４、ＡＥロックボタン３６、メニューキー３８、実行キー４０及びキャンセルキー４２が設けられている。液晶モニタ３０は、撮影時に画角確認用の電子ファインダーとして使用できるとともに、撮影した画像のプレビュー画やメモリカード２４から読み出した再生画像等を表示可能な表示手段である。また、十字ボタン３４を使用したメニューの選択や各メニューにおける各種項目の設定なども液晶モニタ３０の表示画面を用いて行われる。
【００２５】
ズームスイッチ３２は、上下方向に操作可能なレバースイッチで構成され、該スイッチを上方向に操作することで望遠（TELE）方向にズーム移動し、下方向に操作することで広角（WIDE）方向にズーム移動する。十字ボタン３４は、上下左右のいずれかの縁部を押圧することによって、対応する４方向（上、下、左、右）の指示を入力できるようにしたもので、メニュー画面における各種設定項目の選択や設定内容の変更を指示する操作ボタンとして使用されるとともに、電子ズームの倍率調整や再生コマの送り／戻しを指示する手段として用いられる。
【００２６】
メニューキー３８は、各モードの通常画面からメニュー画面へ遷移させる時に使用される。実行キー４０は、選択内容の確定、処理の実行（確認）指示の時などに使用される。キャンセルキー４２は、メニューから選んだ項目の取消（キャンセル）や一つ前の操作状態に戻る時などに使用される。
【００２７】
撮影者は、ファインダー２８又は液晶モニタ３０に映し出される画像（スルー画）を確認しながら、ズームスイッチ３２を操作して画角を決定し、シャッターボタン１８を押下して撮影を行う。
【００２８】
図３は電子カメラ１０の内部構成を示すブロック図である。撮影レンズ１２は、固定レンズ４４、変倍レンズ４６Ａ、補正レンズ４６Ｂ及びフォーカスレンズ４８の４群型インナーフォーカス式ズームレンズで構成されている。
【００２９】
変倍レンズ４６Ａと補正レンズ４６Ｂは、図示せぬカム機構によって両者の位置関係が規制されながら光軸に沿って移動し、焦点距離を変更する。尚、説明の便宜上、変倍レンズ４６Ａと補正レンズ４６Ｂから成る変倍光学系を「ズームレンズ４６」と呼ぶことにする。
【００３０】
撮影レンズ１２を通過した光は、絞り５０により光量が調節された後、ＣＣＤイメージセンサ（以下、ＣＣＤという。）５２に入射する。ＣＣＤ５２の受光面には、フォトセンサが平面的に配列されており、フォトセンサの前面には所定のＲＧＢ配列のカラーフィルタが配置されている。撮影レンズ１２を介してＣＣＤ５２の受光面に結像された被写体像は、各フォトセンサによって入射光量に応じた量の信号電荷に変換される。尚、ＣＣＤ５２は、シャッターゲートパルスのタイミングによって各フォトセンサの電荷蓄積時間（シャッタースピード）を制御する、いわゆる電子シャッター機能を有している。
【００３１】
各フォトセンサに蓄積された信号電荷は、ＣＣＤドライバ５４から与えられるパルスに基づいて信号電荷に応じた電圧信号（画像信号）として順次読み出される。ＣＣＤ５２から出力された画像信号は、アナログ処理部５６に送られる。アナログ処理部５６は、サンプリングホールド回路、色分離回路、ゲイン調整回路等の信号処理回路を含み、このアナログ処理部５６において、相関二重サンプリング（ＣＤＳ）処理並びにＲ，Ｇ，Ｂの各色信号に色分離処理され、各色信号の信号レベルの調整（プリホワイトバランス処理）が行われる。
【００３２】
アナログ処理部５６から出力された信号は、Ａ／Ｄ変換器５８によりデジタル信号に変換された後、メモリ６０に格納される。タイミングジェネレータ（ＴＧ）６２は、ＣＰＵ６４の指令に従ってＣＣＤドライバ５４、アナログ処理部５６及びＡ／Ｄ変換器５８に対してタイミング信号を与えており、このタイミング信号によって各回路の同期がとられている。
【００３３】
メモリ６０に格納されたデータは、バス６６を介して信号処理部６８に送られる。信号処理部６８は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ６４からのコマンドに従って画像信号を処理する。
【００３４】
信号処理部６８に入力された画像データは、輝度信号（Ｙ信号）及び色差信号（Ｃr,Ｃb信号）に変換されるとともに、ガンマ補正等の所定の処理が施された後、メモリ６０に格納される。撮影画像を表示出力する場合、メモリ６０から画像データが読み出され、表示用メモリ７０に転送される。表示用メモリ７０に記憶されたデータは、表示用の所定方式の信号（例えば、ＮＴＳＣ方式のカラー複合映像信号）に変換された後、Ｄ／Ａ変換器７２を介して液晶モニタ（ＬＣＤ）３０に出力される。こうして、当該画像データの画像内容が液晶モニタ３０の画面上に表示される。
【００３５】
メモリ６０内の画像データは、ＣＣＤ５２から出力される画像信号によって定期的に書き換えられ、その画像データから生成される映像信号が液晶モニタ３０に供給されることにより、ＣＣＤ５２を介して入力する画像がリアルタイムに液晶モニタ３０に表示される。撮影者は、液晶モニタ３０に映し出される画像（スルー画）、或いは光学式のファインダー２８によって撮影画角を確認することができる。
【００３６】
ここで、後述する手動焦点調節時においては、液晶モニタ３０にモノクロ（白黒）の画像（モノクロ動画）のスルー画が表示されるようになっている。この場合には、信号処理部６８において入力された画像データに基づいて輝度信号（Ｙ信号）のみが生成され、信号処理部６８での処理後にメモリ６０に格納される画像データ及びメモリ６０から表示用メモリ７０に転送される画像データとして、信号処理部６８で生成された輝度信号のデータのみが格納される。そして、表示用メモリ７０に格納された輝度信号のデータと色差信号（Ｃr,Ｃb信号）を無信号（０）としたデータとによってカラー動画表示時と同様にして映像信号が生成され、その映像信号が液晶モニタ３０に出力される。これによって、液晶モニタ３０にはモノクロのスルー画が表示される。
【００３７】
電源兼用モードスイッチ２０によって静止画撮影モードが選択されている場合において、シャッターボタン１８が全押しされた場合には、ＣＰＵ６４から圧縮伸張回路８４にコマンドが送られ、メモリ６０に取り込まれた画像データが圧縮伸張回路８４に転送される。これによって、メモリ６０に取り込まれた画像データをＪＰＥＧその他の所定の形式に従って圧縮される。そして、圧縮された画像データは、カードインターフェース８６を介してメモリカード２４に記録される。
【００３８】
電源兼用モードスイッチ２０によって再生モードが選択されている場合には、メモリカード２４から画像ファイルが読み出される。読み出された画像データは、必要に応じて圧縮伸張回路８４によって伸張処理され、表示用メモリ７０を介して液晶モニタ３０に出力される。
【００３９】
電源兼用モードスイッチ２０によって静止画撮影モードが選択されている場合において、撮影者がズームスイッチ３２を操作すると、その指示信号がＣＰＵ６４に入力され、ＣＰＵ６４はズームスイッチ３２からの信号に基づいてズーム駆動部７４を制御してズームレンズ４６をテレ（TELE）方向又はワイド（WIDE）方向に移動させる。ズーム駆動部７４は図示せぬモータを含み、該モータの駆動力によってズームレンズ４６が駆動される。ズームレンズ４６の位置（ズーム位置）は、ズーム位置センサ７６によって検出され、該センサ７６の検出信号はＣＰＵ６４に入力される。
【００４０】
同様に、フォーカス駆動部７８は図示せぬモータを含み、該モータの駆動力によってフォーカスレンズ４８が光軸に沿って前後動する。フォーカスレンズ４８の位置（フォーカス位置）は、フォーカス位置センサ８０によって検出され、該センサ８０の検出信号はＣＰＵ６４に入力される。
【００４１】
本電子カメラ１０では、焦点調節を自動と手動のいずれか所望の方法で行うことができるようになっており、自動焦点調節（オートフォーカス）時には、評価値演算の結果に基づいてフォーカス駆動部７８が制御されてフォーカスレンズ４８が合焦位置に移動する。
【００４２】
自動焦点調節について概略を説明すると、静止画撮影モードにおいてシャッターボタン１８が半押しされると、Ａ／Ｄ変換器５８によってデジタル信号に変換された画像信号が、評価値演算部８８に入力される。評価値演算部８８は、高周波成分抽出回路９０と積算回路９２を有し、入力される画像信号のうちＧ成分のデータをサンプリングしてＡＦ検出対象エリア内での高周波成分を抽出するとともにその絶対値をとり、ＡＦ検出対象エリア内で絶対値データを積算して得られた値（評価値に相当）をＣＰＵ６４に提供する。
【００４３】
ＡＦ検出の対象エリアは、画像領域の全体である必要はなく、画像の中央部分の一部領域として設定されている。ＡＦ動作時にＣＰＵ６４は、フォーカスレンズ４８を焦点調節領域内で無限遠から至近（又は至近から無限遠）の方向に移動させながら、複数のＡＦ検出ポイント（サーチポイント）で画像中央部分のコントラストを検出し、評価値を算出する。そして、各ポイントで算出された評価値を総合して、評価値が最大となるレンズ位置を合焦位置として決定し、求めた合焦位置にフォーカスレンズ４８を移動させるようにフォーカス駆動部７８を制御し、自動焦点調節を行う。
【００４４】
一方、手動焦点調節（マニュアルフォーカス）時には、撮影者による手動焦点調節部１００の手動操作に従ってフォーカスレンズ４８が移動する。本電子カメラ１０では手動焦点調節部として撮影レンズ１２の鏡胴に回動可能な操作リングが設けられており、その操作リングを回動操作すると、それに従って操作リングに機械的に連結されたフォーカスレンズ４８が駆動される。自動焦点調節時であっても手動焦点調節部１００が操作されたときには手動焦点調節に切り替わり、自動焦点調節への切替えが所定の操作によって指示されるまでは手動焦点調節によって設定された位置にフォーカスレンズ４８が保持されるようになっている。尚、手動焦点調整は、手動焦点調節部１００の操作に対してその操作力によってフォーカスレンズ４８を機械的に連動させて駆動する場合に限らない。例えば、手動焦点調整部１００の操作を電気的に検出し、その検出した操作に従ってフォーカス駆動部７８を制御してモータよりフォーカスレンズ４８を駆動する場合であってもよい。また、このように手動焦点調整部１００の操作に対してフォーカスレンズ４８をモータにより駆動する場合には、撮影レンズ１２の鏡胴以外に設けられた操作部によって手動焦点調節を行えるようにすることもできる。更に、手動焦点調節を行うモードを事前に選択する手動焦点調節モードスイッチ１０２を図３の破線で示すように設けておき、そのスイッチ１０２がオンされた状態のときに手動焦点調節部１００に従ってフォーカスレンズ４８を駆動させ、スイッチ１０２がオフされた状態のときに自動焦点調節によりフォーカスレンズ４８を駆動させるようにしてもよい。
【００４５】
ＣＰＵ６４は、本電子カメラ１０の各回路を統括制御する制御部であり、電源兼用モードスイッチ２０、シャッターボタン１８、ズームスイッチ３２、手動焦点調節部１００、その他の操作部から受入する入力信号に基づき、対応する回路の動作を上述のように制御するとともに、液晶モニタ３０における表示制御、自動焦点調節及び自動露出（ＡＥ）制御等を行う。
【００４６】
電源兼用モードスイッチ２０によって静止画撮影モードが選択されている場合のＣＰＵ６４による一連の制御について説明すると、シャッターボタン１８が押下操作されていない場合、液晶モニタ３０に上述のようにスルー画を表示させる。このとき、手動焦点調節部１００からその操作が行われていることを示す手動操作信号が与えられなければ、カラー動画を生成するための処理を信号処理部６８に行わせ、液晶モニタ３０にカラー動画のスルー画を表示させる。一方、手動焦点調節部１００から手動操作信号が与えられた場合には手動焦点調節が行われていると判断し、モノクロ動画を生成するための処理を信号処理部６８に行わせ、液晶モニタ３０にモノクロ動画のスルー画を表示させる。
【００４７】
ここで、液晶モニタ３０のスルー画を目視して焦点状態を把握する場合、カラーよりもモノクロ（白黒）の動画の方が行い易い。即ち、色情報を有する画像は、その色により目の視感度が異なるため、色の境界線がその隣り合う色によって認知度に差が生じる。また、液晶モニタ３０のスルー画は、ＣＣＤ５２によって撮像された画像を間引き処理して表示されるものであるためその際に色情報の混ざりが生じる。そのため、カラー動画よりもモノクロ動画の方が合焦判断等を行うためには好適である。また、モノクロ動画では色情報を処理する負担が減るため、液晶モニタ３０に表示されるスルー画と実際の被写体との時間遅れが生じ難く、画像の乱れ等も少ないという利点がある。
【００４８】
続いて、シャッターボタン１８が半押し操作された場合、半押し信号がＣＰＵ６４に与えられる。シャッターボタン１８の非操作時において手動焦点調節が行われなかった場合、又は、手動焦点調節が行われた後、手動焦点調節が解除された場合、ＣＰＵ６４は、半押し信号が与えられると、自動焦点調節を実行する。即ち、評価値演算部８８から得られる評価値に基づいてフォーカス駆動部７８を制御し、フォーカスレンズ４８を合焦位置に移動させる。また、測光処理等の撮影実行時のために必要な前処理を行う。手動焦点調節が行われて手動焦点調節が解除されていない場合には、シャッターボタン１８が半押しされた場合でも自動焦点調節を実行しない。
【００４９】
続いて、シャッターボタン１８が全押し操作されると、撮影開始指示（レリーズＯＮ）信号が発せられる。ＣＰＵ６４は、レリーズＯＮ信号を検知すると、絞り５０の開口径やＣＣＤ５２の電子シャッターを制御することにより露出制御を行う。また、ストロボ制御回路８２にコマンドを送り、ストロボ発光部１６の発光を制御する。
【００５０】
このようにして、シャッターボタン１８の全押し操作に応動して撮影実行時の処理を行うと、ＣＣＤ５２から取り込まれ、上述のように各処理部で各種処理が施されてメモリ６０に格納された記録用の画像データを、圧縮伸張回路８４によって圧縮処理させてメモリカード２４に記録させる。
【００５１】
尚、シャッターボタン１８が半押しされた場合には常に自動焦点調節が行われるものとし、手動焦点調節を行いたい場合（最終的な焦点調節を手動焦点調節で行いたい場合）には、シャッターボタン１８を半押した後、その状態で手動焦点調節を行うようにしてもよい。また、手動焦点調節によって液晶モニタ３０のスルー画の表示がモノクロ動画の表示に切り替わった場合でもメモリカード２４には、カラー画像が記録される。
【００５２】
次に、静止画撮影モード時における液晶モニタ３０のスルー画表示に関するＣＰＵ６４の処理について図４のフローチャートを用いて説明する。ＣＰＵ６４は、液晶モニタ３０のスルー画表示に関する処理として図４のフローチャートに示す処理を他の処理と共に繰り返し実行する。スルー画表示に関する処理を開始すると、まず、撮影レンズ１２の手動焦点調節部１００から出力される手動操作信号の有無を検出する（ステップＳ１０）。即ち、手動焦点調節部１００が操作されているか否かを検出する。そして、手動操作信号の有無によって焦点調節が手動で行われているか否かを判定する（ステップＳ１２）。
【００５３】
ステップＳ１２においてＹＥＳと判定した場合、液晶モニタ３０のスルー画の表示をモノクロ動画の表示とする（ステップＳ１４）。そして、本フローチャートの処理を終了する。
【００５４】
一方、ステップＳ１２においてＮＯと判定した場合には、現在の液晶モニタ３０におけるスルー画の表示がモノクロ動画の表示か否かを判定する（ステップＳ１６）。ここで、ＹＥＳと判定した場合、続いて、手動焦点調節部１００からの手動操作信号が検出されない期間の長さ（手動操作信号が途絶えている時間）を計測する（ステップＳ１８）。そして、計測した時間が一定時間以上の場合には、手動操作が解除されたと判定するものとして、手動操作が解除されたか否かを判定する（ステップＳ２０）。ＮＯと判定した場合には、液晶モニタ３０でのスルー画の表示をそのままモノクロ動画の表示として（特別な処理を行わないものとして）本フローチャートの処理を終了する。
【００５５】
ステップＳ１６においてＮＯと判定した場合、即ち、液晶モニタ３０のスルー画の表示がカラー動画の表示となっている場合、又は、ステップＳ２０においてＹＥＳ、即ち、手動操作が解除されたと判定された場合には、液晶モニタ３０のスルー画の表示をカラー動画の表示にする（ステップＳ２２）。そして、本フローチャートの処理を終了する。
【００５６】
以上の処理手順により、手動焦点調節時には液晶モニタ３０のスルー画がモノクロ動画に切り替えられる。
【００５７】
尚、ステップＳ２０において手動操作が解除されたと判定された場合に、自動焦点調節に切り替わるようにしてもよいし、又は、所定の操作が行われたときに自動焦点調節に切り替わるようにしてもよい。
【００５８】
次に、手動焦点調節モードスイッチ１０２によって手動焦点調節モードと自動焦点調節モードとを切り替えるようにした場合における液晶モニタ３０のスルー画表示に関するＣＰＵ６４の処理について図５のフローチャートを用いて説明する。ＣＰＵ６４は、まず、手動焦点調節モードスイッチ１０２の状態（オン／オフ状態）を検出する（ステップＳ３０）。そして、その状態に基づいて焦点調節が手動か否か、（手動焦点調節モードがオンか否か）を判定する（ステップＳ３２）。
【００５９】
ステップＳ３２においてＹＥＳと判定した場合、ＣＰＵ６４は、液晶モニタ３０のスルー画の表示をモノクロ動画の表示とする（ステップＳ３４）。そして、手動焦点調節時の処理を実施し（ステップＳ３６）、本フローチャートの処理を終了する。
【００６０】
一方、ステップＳ３２においてＮＯと判定した場合、ＣＰＵ６４は、液晶モニタ３０のスルー画の表示をカラー動画の表示にする（ステップＳ３８）。そして、自動焦点調節時の処理を実施し（ステップＳ４０）、本フローチャートの処理を終了する。
【００６１】
以上、上記実施の形態では、手動焦点調節時にモノクロ動画のスルー画として白黒の動画を液晶モニタ３０に表示するようにしたが、これに限らずＣＣＤ５２から取得した画像の輝度信号に応じた明るさの白黒以外の単色の動画を表示するようにしてもよい。例えば、液晶モニタ３０のカラーフィルタがＲ、Ｇ、Ｂの配列からなる場合に、Ｒ、Ｇ、Ｂのいずれかの色のみの画素を輝度信号に基づいて発光させるようにしてもよい。これによれば、Ｒ、Ｇ、Ｂの全ての画素を発光させるよりも発光色のボケによる合焦判断の誤差が軽減できる。
【００６２】
また、上記実施の形態では、静止画を撮像するための電子カメラに本発明を適用した場合について記載したが、本発明は、動画を撮像するための電子ビデオカメラの場合にも同様に適用できる。
【図面の簡単な説明】
【００６３】
【図１】本発明が適用された電子カメラの外観を示した正面図。
【図２】本発明が適用された電子カメラの外観を示した背面図。
【図３】本発明が適用された電子カメラの内部構成を示したブロック図。
【図４】静止画撮影モード時における液晶モニタのスルー画表示に関するＣＰＵの処理手順を示したフローチャート。
【図５】静止画撮影モード時における液晶モニタのスルー画表示に関する他の態様でのＣＰＵの処理手順を示したフローチャート。
【符号の説明】
【００６４】
１０…電子カメラ、１２…撮影レンズ、１４…ファインダー窓、１６…ストロボ発光部、１８…シャッターボタン、２０…電源スイッチ、２４…メモリカード、２６…カードスロット、２８…ファインダー、３０…液晶モニタ、３２…ズームスイッチ、３４…十字ボタン、４８…フォーカスレンズ、５２…ＣＣＤ、５６…アナログ処理部、６０…メモリ、６４…ＣＰＵ、７０…表示用メモリ、８４…圧縮伸張回路、８８…評価値演算部、１００…手動焦点調節部、１０２…手動焦点調節モードスイッチ
【図１】
2006311082.tif 000003
【図２】
2006311082.tif 000004
【図３】
2006311082.tif 000005
【図４】
2006311082.tif 000006
【図５】
2006311082.tif 000007